(57)【要約】      （修正有）【課題】アクリル板を立てて置く場合、アクリル板自体の厚みにかなりのばらつきが有っても、外れない足台を提供する。【解決手段】硬質樹脂板を立てて保持する際に使用する挟持足台１であり、左右方向の幅を有する底部５と硬質樹脂板を挟むための上向きに開口された幅を有する挟持溝３が奥行き方向の厚みで設けられ、挟持溝を形成する下向き一対の挟持部２により構成され、更にたわみ用カット部４は、たわみ幅分が略コの字型のカット形状として予め設けられているため、例えば挟持足台の上向きに開口された幅を有する挟持溝にアクリル板を手で押し込み挿入すると、挟持することにより生じる挟持部のたわみが予め略コの字型のカット形状としてたわみ用カット部が設けられているため、挟持部が広がりつつたわんだ分、その戻り力でしっかりと挟持出来るので、ワンタッチで設置出来、挟持足台から簡単に外れる事がなくなる。【選択図】図１
2018033908.tif 000002
【特許請求の範囲】
【請求項１】
硬質樹脂板（１０）を立てて保持する際に使用する挟持足台（１）であり、図１左右方向の幅を有する底部（５）と硬質樹脂板（１０）を挟むための上向きに開口された幅を有する挟持溝（３）が図１の奥行き方向の厚み（２０）で設けられており、該挟持溝（３）を形成する下向き一対の挟持部（２）により構成され、更にたわみ用カット部（４）は、たわみ幅分が略コの字型のカット形状として予め設けられている事を特徴とする挟持足台（１）。
【発明の詳細な説明】
【技術分野】
【０００１】  本発明は、システムキッチン等において水はね防止ガードやディスプレイ用とて使用する硬質樹脂板を挟持しておく挟持足台に関するものである。
【背景技術】
【０００２】  システムキッチンにおいて水はね防止をガードするための仕切板として透明性や厚みの有る重厚感から近年大きめの一枚のアクリル板を立てて置く事が多かった。もちろんこのアクリル板の装飾性や美観等からシステムキッチンのみならず、ディスプレイ用資材としての人気も高まっている。
【発明の概要】
【発明が解決しようとする課題】
【０００３】  前記大きめの一枚のアクリル板を立てて置く場合、アクリル板の厚み以上の溝が設けられた１個又は複数個のアクリル製の足台を用いることがほとんどでアクリル板自体の厚みにかなりのばらつきが有るため、アクリル板を挟持する足台としてもその溝幅が大きいため、アクリル板を少し動かしたりするだけで挟持足台が外れてしまうという課題が有った。【０００４】  一方で、挟持足台からアクリル板を外れないように、アクリル板と挟持足台自体をＬ型の金具を用いてアクリル板にボルト用の穴を開けて前後に固定するという方法が有るが、手間、見栄え、コスト等において課題が有った。
【課題を解決するための手段】
【０００５】  前記課題を解決するために本発明は、硬質樹脂板（１０）を立てて保持する際に使用する挟持足台（１）であり、図１左右方向の幅を有する底部（５）と硬質樹脂板（１０）を挟むための上向きに開口された幅を有する挟持溝（３）が図１の奥行き方向の厚み（２０）で設けられており、該挟持溝（３）を形成する下向き一対の挟持部（２）により構成され、更にたわみ用カット部（４）は、たわみ幅分が略コの字型のカット形状として予め設けられている事を特徴とする挟持足台（１）とする。
【発明の効果】
【０００６】  本発明の挟持足台は以上のような構成であるため、例えばシステムキッチンの水はね防止ガードとして使用するアクリル板を流し台上に置いた本発明の挟持足台の上向きに開口された幅を有する挟持溝にアクリル板を手で押し込みながら挿入すれば挟持するアクリル板より若干狭く該挟持溝が設けられているのと、挟持することにより生じる挟持部のたわみ用カット部が予め略コの字型のカット形状として設けられているため、前記挟持部がたわみ広がりつつアクリル板を挟持するためにたわんだ分、戻り力でしっかりと挟持する事も出来、挟持足台から簡単に外れてしまう事が無くなる優れたものとなる。【０００７】  又、本発明の挟持足台は、硬質樹脂板を固定するためのＬ型の金具や例えば金属製であるボルト等を使用する事が一切無いので、見栄えも大変良く、手間やコストのかからない優れたものとなる。
【図面の簡単な説明】
【０００８】
【図１】  本発明の一実施例を示す正面図である。なお背面図は正面図と対称に表れる。
【図２】  本発明の図１のものの左側面図である。なお右側面図は左側面図と対称に表れる。
【図３】  本発明の図１のものの平面図である。
【図４】  本発明の図１のものの底面図である。
【図５】  本発明の図１のものの斜視図である。
【図６】  本発明に係る挟持足台においてアクリル板が挟持されていく態様を示した使用状態の斜視図である。
【図７】  本発明の一使用状態を示す斜視図である。
【発明を実施するための形態】
【０００９】  本発明における挟持足台の大きさ、デザイン、製造方法等は特に限定されないが、使用する硬質樹脂板と同素材の硬質樹脂を用いるのが見ためにも統一性が有り好ましい。
【００１０】  又、挟持する硬質樹脂板の板厚、大きさによって本発明の足台に設けられる底部の幅や長さ、挟持溝の幅、更には挟持溝において対向する挟持溝の反対面に設ける挟持部のたわみ用カット部の略コの字型のカット形状やカット幅等も設定され製造されるのが好ましい。
【００１１】  特に本発明においては、前記略コの字形のカット形状や挟持溝が使用する硬質樹脂板における厚みのバラつきの起因によりきちんと挟持出来ない事が多いため硬質樹脂板より若干狭く上向きに開口された幅を有する挟持溝や硬質樹脂板を挟持することにより生じる挟持部のたわみ用のカット部を正確にカットするためにレーザーカッターで切断構成されるのが好ましいがもちろん樹脂成形で構成してもよい。
【００１２】  前記硬質樹脂板より若干狭く上向きに開口された幅を有する挟持溝の幅は対向する挟持部が折れたり、割れたりしないように硬質樹脂板の厚みに応じて若干狭く設定するのが好ましい。
【００１３】  本発明における挟持足台は、被挟持物である硬質樹脂板の大きさや設置場所によって複数個設置するのが安定して良いが、例えば写真立てのようなディスプレイ用の小物の場合１個のみとしも良い。
【００１４】  本発明でいう硬質樹脂とは、アクリル樹脂やポリカーボネート等のことを表し、アクリル樹脂は、アクリル酸エステルあるいはメタクリル酸エステルの重合体で一般的に透明性の高い合成樹脂の事を言う。特にその高い透明性から窓材、照明器具のカバー、ディスプレイ資材、工芸品更には水槽等に用いられている。
以下、実施例と図に基づき説明する。
【実施例】
【００１５】  以下、本発明の一実施例を図１、図２、図３、図４、図５、図６及び図７で説明するが、これによって本発明は何ら限定されるものではない。【００１６】  図１は、本発明の挟持足台（１）を正面から見た一例を示しており、流し台やテーブル等に置くための左右方向に幅と長さを有する底部（５）と中心に配置された上向きに開口された幅を有する挟持溝（３）が図１の奥行き方向に一定の断面で設けられており、被挟持物の硬質樹脂板（１０）がこの挟持溝（３）において対向する一対の挟持部（２）において挟持される事となるが、その際、硬質樹脂板（１０）より若干狭く挟持溝（３）が設けられているため硬質樹脂板（１０）を挟持することにより生じる挟持部（２）のたわみ用カット部（４）が略コの字型のカット形状として予め設けられている事が理解出来る。なお背面図は正面図と対称に表れる。【００１７】  図２は、本発明の図１のものの左側面図である。なお右側面図は左側面図と対称に表れる。【００１８】  図３は、本発明の図１のものの平面図である。【００１９】  図４は、本発明の図１のものの底面図である。【００２０】  図５は、本発明の図１のものを斜視方向から表わした斜視図である。【００２１】  図５から、硬質樹脂板（１０）を挟むための上向きに開口された幅を有する挟持溝（３）が図１の奥行き方向の厚み（２０）がある事が理解出来る。この厚み（２０）の奥行きが大きい程、被挟持物の硬質樹脂板（１０）を挟持した際に安定して挟持設置出来るものとなる。【００２２】  図６は、本発明の挟持足台（１）において、硬質樹脂板（１０）が実際に挟持されていく態様をＡ、Ｂ、Ｃの状態変化として表わした使用状態の斜視図である。【００２３】  まずＡの状態は硬質樹脂板（１０）が該硬質樹脂板（１０）より若干狭く上向きに開口された幅を有する挟持溝（３）の開口部から挿入され始めた状態を示し、挟持溝（３）を形成する下向き一対の挟持部（２）がたわみ用のカット部（４）にたわんで広がる状態を表わしている。【００２４】  次のＢの状態はＡの状態から更に硬質樹脂板（１０）が挟持溝（３）及び対向する挟持部（２）先端まで挿入されており、略コの字型のカット形状として設けられた挟持部（２）のたわみ用カット部（４）がかなり狭くなっている状態を表わしている。【００２５】  更にＣの状態は、硬質樹脂板（１０）が完全に挟持溝底部（６）に達しており、挟持部（２）のたわみ用カット部（４）が硬質樹脂板（１０）を挟持しているため狭くなっている事が理解出来る。【００２６】  図７は、本発明の一使用状態を示す斜視図であり、硬質樹脂板（１０）を本発明の挟持足台（１）２個を用いて使用している状態を示している。
【産業上の利用の可能性】
【００２７】  本発明の挟持足台は、例えば、システムキッチンの水はね防止カードとして使用する硬質樹脂板に用いた場合、流し台上に置いた本発明の挟持足台の上向きに開口された幅を有する挟持溝に手で押し込み挿入すると挟持する硬質樹脂板より若干狭く該挟持溝が設けられており、更には挟持することにより生じる挟持部のたわみ用カット部が略コの字型のカット形状として設けられているため、前記挟持部がたわみながら広がりつつ硬質樹脂板がたわんだ分、その戻り力でしっかりと挟持出来るので、ワンタッチで設置出来、挟持足台から簡単に外れる事が無くなる優れた挟持足台となる。
【００２８】  又、本発明の挟持足台は、被挟持物の硬質樹脂板をＬ型の金具やボルト等を一切使用せず挟持足台と出来るため、見栄えの良い、手間やコストのかからない優れた挟持足台となりディスプレイ等にも最適なものとなる。
【符号の説明】
【００２９】１  挟持足台
２  挟持部
３  挟持溝
４  たわみ用カット部
５  底部
６  挟持溝底部
１０  硬質樹脂板
２０  厚み
【図１】
2018033908.tif 000003
【図２】
2018033908.tif 000004
【図３】
2018033908.tif 000005
【図４】
2018033908.tif 000006
【図５】
2018033908.tif 000007
【図６】
2018033908.tif 000008
【図７】
2018033908.tif 000009